【事件の表示】
　特許第２９６８８３２号「星形ポリマー、その星形ポリマーの調整、及び、その星形ポリマーを含む潤滑組成物」の請求項１ないし９に係る特許に対する特許異議の申立てについて、次のとおり決定する。
【結　論】
　特許第２９６８８３２号の請求項１ないし９に係る特許を取り消す。
【理　由】
 　　　　　　　　　　　　　　　　
　【１】手続の経緯
　
　本件特許第２９６８８３２号の発明は、平成２年１０月２４日（パリ条約による優先権主張　１９８９年１０月２６日　米国）に特許出願され、平成１１年８月２０日にその特許の設定登録がなされ、その後、特許異議の申立てがなされ、取消理由通知がなされ、その指定期間内である平成１３年４月１３日付けで訂正請求がなされ、その後、訂正拒絶理由が通知され、その指定期間内である平成１３年１１月９日付けで訂正請求書に対する手続補正書が提出されたものである。
　
　【２】訂正の適否
　
　１．訂正請求に対する補正の適否
　平成１３年１１月９日付けの手続補正による、訂正請求書に添付した訂正明細書の補正事項は、次のとおりである。
　（１）訂正明細書の特許請求の範囲の請求項７を削除する。
　（２）訂正明細書の特許請求の範囲の請求項８中の「請求項１〜７に記載の潤滑油組成物」を、「請求項１〜６に記載の潤滑油組成物」と補正すると共に、項番号を、（８）から（７）に繰り上げる。
　補正事項（１）は、請求項７を削除するものである。一方、訂正請求書において、請求項７は、その内容が訂正されていた。そうすると、補正事項（１）により、請求項７に関する訂正事項は、その訂正の内容が変更されるから、この補正事項（１）は、訂正請求書の要旨を変更するものである。
　補正事項（２）は、訂正明細書の請求項８（補正後の請求項７）において、訂正明細書における請求項７を引用していたものを、引用しないようにするものであるから、訂正明細書の請求項８に関する訂正事項を変更するものである。したがって、この補正事項（２）も、訂正請求書の要旨を変更するものである。
　以上のとおりであるから、この手続補正は、特許法第１２０条の４第３項において準用する同法第１３１条第２項の規定に適合せず、したがって、この手続補正は採用できない。
　
　２．訂正の内容
　本件訂正請求による訂正事項には、次の訂正事項（１）、（２）が含まれている。
・訂正事項（１）（訂正請求書の訂正事項ｃ、ｄ参照）
　請求項７の、「（７）請求項１から６の何れか一項に記載の星形ポリマーを調製するための方法であって、ａ）先ず最初に、単一のアルカリ金属原子を含むアニオン開始剤が存在する中で１つ以上の共役ジオレフィンモノマーを溶液中で重合し、更に、１つ以上のモノアルケニル芳香族炭化水素モノマーを加え、その後で、重合を完了させて、モノアルケニル芳香族炭化水素ブロックの末端にアルカリ金属原子を有するリビングブロックコポリマーを生成することによって、１つ以上のモノアルケニル芳香族炭化水素モノマーのモノマーユニットから成る１つの高分子モノアルケニル芳香族炭化水素ブロックと、１つ以上の水素添加共役ジエンのモノマーユニットから成る高分子共役ジオレフィンブロックとを含む、ブロックコポリマー腕木を調製する段階と、ｂ）星形ポリマーを形成するために、段階ａ）から得られたリビングポリマーを、ポリアルケニルカップリング剤と反応させる段階と、及び、ｃ）こうして形成された星形ポリマーに選択的に水素添加し、水素添加共役ジオレフィンモノマーユニットを含む選択的に水素添加された星形ポリマーを形成する段階とから成る、前記星形ポリマーを調製するための方法。」なる記載を、「（７）　前記星形ポリマーがａ）先ず最初に、単一のアルカリ金属原子を含むアニオン開始剤が存在する中で１つ以上の共役ジオレフィンモノマーを溶液中で重合し、更に、１つ以上のモノアルケニル芳香族炭化水素モノマーを加え、その後で、重合を完了させて、モノアルケニル芳香族炭化水素ブロックの末端にアルカリ金属原子を有するリビングブロックコボリマーを生成することによって、１つ以上のモノアルケニル芳香族炭化水素モノマーのモノマーユニットから成る１つの高分子モノアルケニル芳香族炭化水素ブロックと、１つ以上の共役ジエンのモノマーユニットから成る高分子共役ジオレフィンブロックとを含む、ブロックコポリマー腕木を調製する段階と、ｂ）星形ポリマーを形成するために、段階ａ）から得られたりピングポリマーを、ポリアルケニルカップリング剤と反応させる段階と、及び、ｃ）こうして形成された星形ポリマーに選択的に水素添加し、水素添加共役ジオレフィンモノマーユニットを含む選択的に水素添加された星形ポリマーを形成する段階とから成る調製方法によって調製された、請求項１から６の何れか−項に記載の潤滑油組成物。」と訂正する。
・訂正事項（２）（訂正請求書の訂正事項ｅ参照）
　請求項９における、「前記星形ポリマーの濃度が、前記星形ポリマーと潤滑油との合計重量に基づいて０．１〜５．０重量％の範囲内である請求項８に記載の潤滑油組成物。」なる記載を、「前記星形ポリマーの濃度が、前記星形ポリマーと潤滑油との合計重量に基づいて０．１〜５．０重量％の範囲内である請求項１〜７に記載の潤滑油組成物。」と訂正すると共に、項番号を（９）から（８）に繰り上げる。
　訂正事項（１）は、請求項７を訂正するものであるが、訂正前の請求項７は、方法の発明であるのに対して、訂正後の請求項７は、潤滑油組成物の発明、すなわち物の発明である。訂正拒絶理由で示したとおり、方法の発明を、物の発明とすることは、カテゴリーを変更するものであって、この訂正は、特許請求の範囲の減縮を目的とするものではないし、誤記の訂正を目的とするものでも、明りょうでない記載の釈明を目的とするものでもない。
　訂正事項（２）は、請求項９を、新請求項８とし、新請求項８において、新請求項７を引用するものであるが、もとの請求項９において、新請求項７は引用されていなかった。そうすると、訂正拒絶理由で示したとおり、新請求項８は、新請求項７を引用している点で拡張されており、この訂正は、特許請求の範囲の減縮を目的としていない。また、この訂正は、誤記の訂正を目的とするものでも、明りょうでない記載の釈明を目的とするものでもない。
　以上のとおりであるから、本件訂正は特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書の規定に適合しないので、当該訂正は認められない。
　
　【３】特許異議の申立てについての判断
　
　１．本件発明
　本件の請求項１〜６、８、９に係る発明は、特許明細書の請求項１〜６、８、９に記載された下記（１）〜（６）、（８）、（９）のとおりのものと認める。
　また、本件の請求項７に係る発明は、請求項７の記載中の、「１つ以上の水素添加共役ジエンのモノマーユニットから成る高分子共役ジオレフィンブロックとを含む、ブロックコポリマー腕木を調製する段階と、」が、ａ）段階においては、未だ水素添加はなされていないことからみて、「１つ以上の共役ジエンのモノマーユニットから成る高分子共役ジオレフィンブロックとを含む、ブロックコポリマー腕木を調製する段階と、」の誤記と認められるので、下記（７）のとおりのものと認める。
「（１）１つの単一モノアルケニル芳香族炭化水素ブロックと水素添加共役ジエンモノマーユニットを有する１つの単一共役ジオレフィンブロックとを含むブロックコポリマーの複数の腕木及び１つのポリ（ポリアルケニルカップリング剤）核から成る星形ポリマーであって、更に、モノアルケニル芳香族当量分子量を用いるゲル浸透クロマトグラフィーによって測定される場合に合計で６〜１３の腕木を含み、及び、前記ポリマー内におけるモノアルケニル芳香族炭化水素と共役ジオレフィンブロックとの重量比が０．０５：１〜１．５：１の範囲内であるという条件の場合に、モノアルケニル芳香族炭化水素ポリマーブロックのモノアルケニル芳香族当量ピーク分子量が６００〜１２０，０００の範囲内であり、共役ジオレフィンブロックのピーク分子量が８，０００〜１８０，０００の範囲内である前記星形ポリマー。
（２）前記モノアルケニル芳香族炭化水素がスチレンである請求項１に記載の星形ポリマー。
（３）前記共役ジエンがイソプレンである請求項１又は２に記載の星形ポリマー。
（４）前記モノアルケニル芳香族炭化水素がスチレンであり且つ前記共役ジエンがイソプレンであり、及び、腕木の数が７〜９の範囲内であり、更に、スチレンポリマーブロックのスチレン当量ピーク分子量が７，０００〜８０，０００の範囲内であり、且つ、イソプレンポリマーブロックのピーク分子量が２０，０００〜１０５，０００の範囲内である請求項１に記載の星形ポリマー。
（５）前記星形ポリマー中のスチレンとイソプレンとの重量比が０．１：１〜１．１：１の範囲内である請求項４に記載の星形ポリマー。
（６）前記共役ジオレフィンブロック中に当初含まれていたエチレン性不飽和の少なくとも９８％が水素添加される請求項１から５の何れか一項に記載の星形ポリマー。
（７）請求項１から６の何れか一項に記載の星形ポリマーを調製するための方法であって、ａ）先ず最初に、単一のアルカリ金属原子を含むアニオン開始剤が存在する中で１つ以上の共役ジオレフィンモノマーを溶液中で重合し、更に、１つ以上のモノアルケニル芳香族炭化水素モノマーを加え、その後で、重合を完了させて、モノアルケニル芳香族炭化水素ブロックの末端にアルカリ金属原子を有するリビングブロックコポリマーを生成することによって、１つ以上のモノアルケニル芳香族炭化水素モノマーのモノマーユニットから成る１つの高分子モノアルケニル芳香族炭化水素ブロックと、１つ以上の共役ジエンのモノマーユニットから成る高分子共役ジオレフィンブロックとを含む、ブロックコポリマー腕木を調製する段階と、ｂ）星形ポリマーを形成するために、段階ａ）から得られたリビングポリマーを、ポリアルケニルカップリング剤と反応させる段階と、及び、ｃ）こうして形成された星形ポリマーに選択的に水素添加し、水素添加共役ジオレフィンモノマーユニットを含む選択的に水素添加された星形ポリマーを形成する段階とから成る、前記星形ポリマーを調製するための方法。
（８）請求項１から６の何れか一項に記載の星形ポリマーを、ポリマーと油との合計量に基づいて０．０５〜１５重量％の範囲内の割合で含む潤滑油組成物。
（９）前記星形ポリマーの濃度が、前記星形ポリマーと潤滑油との合計重量に基づいて０．１〜５．０重量％の範囲内である請求項８に記載の潤滑油組成物。」
　以下、本件の請求項１〜９に係る発明を、各々、「本件発明１」〜「本件発明９」という。
　
　２．取消理由の概要
　取消理由として、理由１、２が通知され、それらの概要は次のとおりである。
　理由１
　本件発明１〜９は、その出願前に国内において頒布された刊行物１（特開平１−２４９８９４号公報（甲第２号証））に記載された発明及び刊行物２（特開昭６３−２０２６６０号公報（甲第１号証））や、刊行物３（特開昭５６−４５９１４号公報）に記載された周知技術に基づいて、その出願前にその発明の属する分野における通常の知識を有する者が、容易に発明をすることができたものと認められるから、本件の請求項１〜９に係る特許は、特許法第２９条第２項の規定に違反してされたものである。
　理由２
　本件の請求項７に係る特許は、明細書の記載が不備のため、特許法第３６条第４項及び第５項に規定する要件を満たしていない特許出願に対してされたものである。
　
　３．刊行物１の記載事項
　刊行物１には、次の記載事項がある。
　
・記載事項１（特許請求の範囲の請求項１）
「（ａ）大量の潤滑油；及び
（ｂ）少量の粘度改善有効量の、アミド又は第一もしくは第二アミン官能基がグラフトした油溶性の官能化された選択的に水素添加されたブロツクコポリマーとからなる潤滑剤組成物であって、前記官能化されたブロツクコポリマーが
（１）（ｉ）少なくとも大部分が重合アルケニルアレーンブロツクからなる少なくとも１つのポリマーブロツクＡ、及び
（ｉｉ）水素添加前に少なくとも大部分が重合共役ジエンブロツクである少なくとも１つの選択的に水素添加したポリマーブロツクＢ
　からなるベースブロツクコポリマーからなり、
（２）アミド又はアミン官能基の実質的に全部がＡブロツク上のベースブロツクコポリマーにグラフトしている
潤滑剤組成物。」
　
・記載事項２（第２頁右下欄第１３〜１６行）
「これらのブロックコポリマーは、潤滑剤，燃料などの粘度指数改善剤及び分散剤としての有用性を見出すことが期待されている。」
　
・記載事項３（第３頁左下欄第６行〜同頁右下欄第５行）
「Ａ−ＢブロックコポリマーはＡブロックを１つだけしか持っていないので、Ａブロックのドメイン形成によりＢブロック及びその固有の網を固定することはない。・・・しかしながら、網目非形成ポリマーは粘度指数改善剤としての特別な用途が見出されている（米国特許第３，７００，７４８号，第３，７６３，０４４号；第３，７７２，１９６号；第３，９６５，０１９号及び第４，０３６，９１０号）。網目非形成ポリマーは粘度剤及び結合剤の処方中に、・・・使用されている（米国特許第４，５８４，３３８号）。」
　
・記載事項４（第９頁左上欄第２〜４行）　
「（ｄ）Ｂブロツクの不飽和は、Ｂブロックの元の不飽和の約１０％未満、好ましくは約５％未満、より好ましくは精々２％である。」
　
・記載事項５（第９頁左下欄第７〜１０行）
「本発明の更にもう１つの特徴は、潤滑剤等の粘度指数を改善し、潤滑剤，燃料等に分散性を提供することが期待される修飾ブロックコポリマーを提供することにある。」
　　
・記載事項６（第９頁右下欄第１行〜第１０頁右上欄第１６行）
「本発明組成物に使用するブロックコポリマーの前駆物質は、好ましくは熱可塑性エラストマーであり、少なくとも１つのアルケニルアレーンポリマーブロックＡと少なくとも１つのエラストマー共役ジエンポリマーブロックＢとを有している。ブロックコポリマー中のブロックの数は特に重要なものではなく、高分子立体配置は、ブロックコポリマーを形成する方法に応じて、・・・星形配置を含む分枝状でもよい。
　本発明に使用する前駆物質ブロックポリマーの種々な構造の典型例は次のように表わされる：　
・・・
［（Ａ−Ｂ）ｐ］ｍＸ
［（Ｂ−Ａ）ｐ］ｍＸ
・・・
［式中、Ａはアルケニルアレーンのポリマーブロックであり、Ｂは共役ジエンのポリマーブロックであり、Ｘは２つ以上の官能基を有する多官能性カップリング剤残基であり、ｎとｐは独立して１〜２０の整数であり、ｍは２〜４０の整数である］。また、上述の分枝状配置はＸから放射状に広がるブロックに関して対称でも非対称でもよい。
　前記の前駆物質ブロックコポリマーの特定の小集合体は網目非形成ブロックコポリマーである。・・・。
　「網目非形成ブロックコポリマー」とは、効果的に唯一のアルケニルアレーンポリマーブロックＡを有しているこれらのポリマーを意味する。その構造的配置は次のように表わされる：
　（１）・・・
　（２）・・・
　（３）（Ｂ−Ａ）−ｎＸ（原文では、ｎの左隣の「−」が、「）」を突き抜けてＡの右側に達しているが、起案の都合上、左記の記載で代用する）
　（４）・・・
［式中、Ａはアルケニルアレーンのポリマーブロックであり、Ｂは共役ジエンのポリマーブロックであり、Ｘは２つ以上の官能基を有する多官能性カップリング剤残基であり、ｙとｚは独立して１〜２０の整数であり、ｎは２〜４０の整数である］。さらに、上記の分子状配置は、Ｘから放射状に広がるブロックに関しては、対称でも非対称でもよい。」
　
・記載事項７（第１０頁左下欄第１４行〜第１０頁右下欄第１行）
「ブロックＡ及びＢの両方共、各ブロックの少なくとも大部分が前記定義のブロックを特徴付ける少なくとも１つの種類のモノマーである限り、ホモポリマーでも・・・でもよい。」
　
・記載事項８（第１０頁右下欄第６行〜第１１頁左上欄第１５行）
「Ａブロックがモノアルケニルアレーンであるのが好ましい。「モノアルケニルアレーン」という用語は、スチレン・・・解する。好ましいモノアルケニルアレーンはモノビニル単環アレーン、例えばスチレン及び・・・であり、スチレンが特に好ましい。
　ブロックＢは、・・・からなっていてよい。共役ジエンが４〜８個の炭素原子を含有しているのが好ましい。このような好適共役ジエンモノマーには：・・・、２−メチル−１，３−ブタジエン（イソプレン）、・・・などを含んでいる。・・・。好ましい共役ジエンは・・・及びイソプレンである。」
　
・記載事項９（第１１頁左下欄第２行〜同欄下から第２行）
「粘度指数改善剤の目的のためには、アルケニルアレーン含量は約２〜約７０、好ましくは約２０〜約７０重量％の範囲である。
　各ブロックの平均分子量はある限度内で変化しうる。ほとんどの場合、モノアルケニルアレーンブロックは約１，０００〜約１２５，０００、好ましくは約１，０００〜約６０，０００のオーダーの平均分子量を有し、一方、水素添加の前でも後でも共役ジエンブロックは約１０，００〜約４５０，０００、好ましくは約１０，０００〜約１５０，０００のオーダーの平均分子量を有するであろう。マルチブロックコポリマーの全平均分子量は典型的には約１１，０００〜約２，５００，０００のオーダーである。これらの分子量はゲル浸透クロマトグライー又は・・・によりもっとも正確に測定される。」
　
　記載事項１０（第１２頁左上欄第７行〜第１２頁左下欄第７行）
「前述の特許明細書が網目形成ブロックコポリマー（例えばＡ−Ｂ−Ａ）の製造に向けられていたにもかかわらず、本発明の網目非形成ブロックコポリマーは明らかにこれらの方法の変法又は修飾により製造しうる。すなわち、例えば（１）・・・（２）・・・（３）Ｂ−Ａ−Ｌｉリビングコポリマー部分を結合させて（Ｂ−Ａ）−ｎ−Ｘポリマー（原文では、ｎの左隣の「−」が、「）」を突き抜けてＡの右側に達しているが、起案の都合上、左記の記載で代用する）［式中、Ｘはポリマーの一部として取り込まれている多官能性カップリング剤の残留部分であって、ポリマー内に存在しても得られたポリマーの性質には顕著に作用しないものであり、ｎはＸに結合したブロックコポリマー部分又は腕の数である］を形成するための多官能性カップリング剤の使用；及び（４）・・・の多官能性カップリング剤の使用である。
　所望であれば、上記のポリマー及びコポリマーは上記の方法で容易に製造しうることに注目すべきである。・・・。
　これらのポリマー及びコポリマーは水素添加して熱安定性及び耐酸化性を増すのが好ましい。・・・のような触媒の存在下での水素添加を含む多くの確立された方法で、これらのポリマー及びコポリマーを水素添加することができる。」
　
・記載事項１１（第１５頁右下欄第１６行〜第１６頁左上欄第４行）
「修飾したブロックコポリマーは、以前は修飾していない物質（ベースポリマー）が使用されていたいずれの目的にも使用でき、すなわち、・・・，潤滑油，燃料等の改変剤として使用でき、あるいは通常の方法で混合，押出し及び成形しうる。」
　
　４．判断
　
　４−１．理由１についての判断
　
　（１）本件発明１について
　
　刊行物１の記載事項６には、式（Ｂ−Ａ）−ｎＸ［式中、Ａはアルケニルアレーンのポリマーブロックであり、Ｂは共役ジエンのポリマーブロックであり、Ｘは２つ以上の官能基を有する多官能性カップリング剤残基であり、ｎは２〜４０の整数である］で示される、「網目非形成ブロツクコポリマー」が記載され、また、記載事項１０には、この網目非形成ブロツクコポリマーを水素添加することが記載されている。記載事項６を参照すると（特に第１０頁左上欄第１１〜末行参照）、この水素添加後のポリマーは、刊行物１の記載事項１で（ｂ）で示された官能化されたブロツクコポリマーを形成する前駆体であり、そして、該網目非形成ブロツクコポリマーの水素添加が、ブロックＢに対してなされていることは、記載事項１の（ｉｉ）の記載から明らかである。
　また、記載事項７には、ブロックＡ、Ｂがホモポリマーであることが記載されている。
　記載事項９には、アルケニルアレーン含量が約２〜約７０重量％であることが記載されているから、ブロックＡと、ブロックＢとの重量比は、約０．０２：０．９８〜０．７：０．３、すなわち、約０．０２：１〜２．３３：１であるといえる。
　また、記載事項９には、ゲル浸透クロマトグラフィーにより測定されるモノアルケニル芳香族炭化水素ポリマーブロックの平均分子量が約１，０００〜約１２５，０００であり、ゲル浸透クロマトグラフィーにより測定される共役ジオレフィンブロックの平均分子量が約１０，０００〜約４５０，０００であることが記載されている。この記載は、ゲル浸透クロマトグラフィーにより測定されるＡブロックの平均分子量が、約１，０００〜約１２５，０００であり、ゲル浸透クロマトグラフィーにより測定されるＢブロックの平均分子量が約１０，０００〜約４５０，０００であることを記載している。なお、記載事項９における「ゲル浸透クロマトグライー」は、技術常識からみて、「ゲル浸透クロマトグラフィー」の誤記と認める。
　以上の点からみて、刊行物１には、
式（Ｂ−Ａ）−ｎＸ［式中、Ａは単一アルケニルアレーンのポリマーブロックであり、Ｂは単一の共役ジエンのポリマーブロックであり、Ｘは２つ以上の官能基を有する多官能性カップリング剤残基であり、ｎは２〜４０の整数である］で示される、「網目非形成ブロツクコポリマー」のＢブロックを水素添加してなるブロツクコポリマーであって、ブロックＡと、ブロックＢとの重量比が約０．０２：１〜２．３３：１であり、ゲル浸透クロマトグラフィーにより測定されるＡブロックの平均分子量が約１，０００〜約１２５，０００であり、ゲル浸透クロマトグライーにより測定されるＢブロックの平均分子量が約１０，０００〜約４５０，０００であるブロツクコポリマー（以下、「刊行物１のポリマー」という）が記載されているといえる。なお、「刊行物１のポリマー」が星形ポリマーであることは自明である。
　そこで、本件発明１と、「刊行物１のポリマー」の発明（以下、「刊行物１の発明」という）を対比する。
　まず、刊行物１の発明の「単一のアルケニルアレーンのポリマーブロックＡ」は、本件発明１の、「単一モノアルケニル芳香族炭化水素ブロック」に相当し、刊行物１の発明の「水素添加後の単一の共役ジエンのポリマーブロックＢ」は、本件発明１の、「水素添加共役ジエンモノマーユニットを有する単一共役ジオレフィンブロック」に相当している。また、刊行物１の発明におけるブロックＡとブロックＢは、本件発明１でいう腕木を構成し、それぞれが、各腕木中に１つずつ存在している。そして、刊行物１のポリマーにおける腕木の数は、ｎの数である２〜４０の整数である。また、刊行物１の発明の「Ｘ」は、本件発明１の「カップリング剤核」に相当し、刊行物１の発明の、「ゲル浸透クロマトグライーにより測定されるモノアルケニル芳香族炭化水素ポリマーブロックの平均分子量」は、本件発明１の、「モノアルケニル芳香族炭化水素ポリマーブロックのモノアルケニル芳香族当量ピーク分子量」に相当し、刊行物１の発明の、「ゲル浸透クロマトグライーにより測定される共役ジオレフィンブロックの平均分子量」は、本件発明１の、「共役ジオレフィンブロックのピーク分子量」に相当している。
　そうすると、両者は、「１つの単一モノアルケニル芳香族炭化水素ブロックと水素添加共役ジエンモノマーユニットを有する１つの単一共役ジオレフィンブロックとを含むブロックコポリマーの複数の腕木及び１つのカップリング剤核から成る星形ポリマーであって、前記ポリマー内におけるモノアルケニル芳香族炭化水素と共役ジオレフィンブロックとの重量比が特定され、モノアルケニル芳香族炭化水素ポリマーブロックの分子量と、共役ジオレフィンブロックの分子量が特定されているものである点」で一致し、腕木の数についても、前者が６〜１３であるのに対して、後者は２〜４０であるから、６〜１３の範囲で一致し、モノアルケニル芳香族炭化水素と共役ジオレフィンブロックとの重量比も、前者が０．０５：１〜１．５：１であるのに対して、後者は約０．０２：１〜２．３３：１であるから、両者は、０．０５：１〜１．５：１の範囲で一致し、モノアルケニル芳香族炭化水素ポリマーブロックの分子量も、前者が６００〜１２０，０００の範囲内であり、後者は約１，０００〜約１２５，０００の範囲内であるから、１，０００〜１２０，０００の範囲で一致し、共役ジオレフィンブロックの分子量も、前者が８，０００〜１８０，０００であるのに対して、後者は約１０，０００〜約４５０，０００の範囲内であるであるから、両者は、約１０，０００〜１８０，０００の範囲で一致している。
　そうすると、両者は、以下の（１）、（２）の点で相違するが、その他の点では一致しているといえる。
　（１）前者のカップリング剤核が、ポリ（ポリアルケニルカップリング剤）核から成るのに対して、後者にはこの点の特定がなされていない点。
　（２）前者の腕木の数が、モノアルケニル芳香族当量分子量を用いるゲル浸透クロマトグラフィーによって測定される場合の数であるが、後者にはこの点の特定がなされていない点。
　そこで、これらの相違点について判断する。
　相違点（１）について
　ポリ（ポリアルケニルカップリング剤）核は、「ポリアルケニル化合物を重合させて得られるカップリング剤」によって得られると認められるところ、刊行物２の第３頁右上欄末行〜第３頁左下欄第１４行や、刊行物３の第３頁左下欄第８〜１４行に記載されているように、ポリアルケニル化合物を重合させて得られるカップリング剤は、多数の腕木を形成しうるカップリング剤として周知である（刊行物２の上記箇所には、７〜２０本の腕木が、刊行物３の第３頁左上欄には、３〜２０本の腕木が記載されている）。
　してみれば、刊行物１の発明において、カップリング剤核を、ポリ（ポリアルケニルカップリング剤）核とすることは容易である。
　相違点（２）について
　「モノアルケニル芳香族当量分子量を用いるゲル浸透クロマトグラフィーによる測定」は、腕木の数の測定法であって、実際の腕木の数を反映するものと認められる。してみれば、刊行物１の発明における腕木数を、「モノアルケニル芳香族当量分子量を用いるゲル浸透クロマトグラフィーによる測定」による腕木数とすることは容易である。
　以上のとおりであるから、本件発明１は、刊行物１に記載された発明、及び周知技術に基づいて、当業者が容易に発明をすることができたものと認められる。
　
　（２）本件発明２〜５について
　
　刊行物１には、Ａブロックを構成するモノアルケニルアレーンがスチレンであること（記載事項８参照）、Ｂブロックを構成す共役ジエンがイソプレンであること（記載事項８参照）が記載され、本件発明４で特定されたピーク分子量の値、本件発明５で特定された重量比は、いずれも、刊行物１の発明の各値と重複している。
　したがって、本件発明２〜５も、刊行物１に記載された発明、及び周知技術に基づいて、当業者が容易に発明をすることができたものと認める。
　
　（３）本件発明６について
　
　記載事項４からみて、刊行物１には、Ｂブロック中に当初含まれていたエチレン性不飽和の少なくとも９８％を水素添加することが記載されていると認められる。
　したがって、本件発明６も、刊行物１に記載された発明、及び周知技術に基づいて、当業者が容易に発明をすることができたものと認められる。
　　　　　　　　　　　　　　　　　　　　　　
　（４）本件発明７について
　
　上記「（１）本件発明１について」で述べたとおり、刊行物１には、式（Ｂ−Ａ）−ｎＸ［式中、Ａはアルケニルアレーンのポリマーブロックであり、Ｂは共役ジエンのポリマーブロックであり、Ｘは２つ以上の官能基を有する多官能性カップリング剤残基であり、ｎは２〜４０の整数である］で示される、「網目非形成ブロツクコポリマー」のＢブロックを選択的に水素添加して、「刊行物１のポリマー」を製造することが記載されている。
　また、一般式（Ｃ−Ｄ）ｍ−Ｙ（ただし、Ｃは、モノマーｃを重合して得られたポリマーブロックを、Ｄはモノマーｄを重合して得られたポリマーブロックを、Ｙはカップリング剤を表す）で表わされる星形ブロックポリマーを製造するにあたり、ａ）先ず最初に、単一のアルカリ金属原子を含むアニオン開始剤が存在する中でモノマーｃを溶液中で重合し、更に、モノマーｄを加え、その後で、重合を完了させて、Ｄブロックの末端にアルカリ金属原子を有するリビングブロックコポリマーを生成することによって、Ｃ−Ｄブロックコポリマー腕木を調製する段階と、ｂ）星形ポリマーを形成するために、段階ａ）から得られたリビングポリマーを、カップリング剤と反応させる段階を経ることは周知である（たとえば、刊行物３の第２頁右下欄第１４行〜第３頁左上欄第１５行、特開昭５１−３４２９０号公報の第３頁右上欄第１９行〜第３頁左下欄第１５行、第４頁左上欄第２行〜第４頁左下欄第１３行、及び、特開昭５２−９６６９５号公報の４頁左下欄第８行〜第５頁右下欄第１８行を参照）。
　したがって、本件発明１〜６の水素添加星形ポリマーを製造するにあたり、まず、ａ）、ｂ）の段階で星形ポリマーを製造し、次いで、ｃ）の選択的な水素添加段階を行うことは容易である。
　したがって、本件発明７も、刊行物１に記載された発明、及び周知技術に基づいて、当業者が容易に発明をすることができたものと認められる。
　
　（５）本件発明８、９について
　
　刊行物１の記載事項１１には、「修飾していない物質（ベースポリマー）」が、以前は、潤滑油の改質剤として使用されていたことが記載されており、該「修飾していない物質（ベースポリマー）」とは、「刊行物１のポリマー」にほかならない。したがって、刊行物１には、『「刊行物１のポリマー」を含む潤滑油組成物の発明』が記載されていると認められる。
　そして、刊行物１でいう潤滑油の改質が、粘度指数改善であることは、記載事項２、５から理解でき、しかも、「刊行物１のポリマー」が、粘度指数改善に有効であることは、記載事項３で示唆されている。
　そして、『「刊行物１のポリマー」を含む潤滑油組成物の発明』において、好適な「刊行物１のポリマー」の配合量は、実験に基づいて容易に決定できるものである。
　してみれば、本件発明８、９も、刊行物１に記載された発明、及び周知技術に基づいて、当業者が容易に発明をすることができたものと認められる。
　
　４−２．理由２についての判断
　
　請求項７には、ａ）段階において、「１つ以上のモノアルケニル芳香族炭化水素モノマーのモノマーユニットから成る１つの高分子モノアルケニル芳香族炭化水素ブロックと、１つ以上の水素添加共役ジエンのモノマーユニットから成る高分子共役ジオレフィンブロックとを含む、ブロックコポリマー腕木を調製する段階」と記載されているが、ａ）段階においては、未だ水素添加はなされていないから、「水素添加共役ジエンのモノマーユニット」なる記載は不明瞭である。
　したがって、本件の請求項７に係る特許は、特許法第３６条第４項及び第５項に規定する要件を満たしていない特許出願に対してされたものである。
　
　【４】むすび
　　
　以上のとおりであるから、本件発明１〜９についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年２月７日（２００２．２．７）